(57)【要約】      （修正有）【課題】強い締結力を必要とする製品のためのバックルを提供する。【解決手段】バンド外表面に形成した鋸歯状の係合溝にバックル１１の係合爪２１を係合させ係止状態においてバンドはバックルに接近自在であるが後退不能としたバックルであって、バックルは、対向する底板１１と天井枠１２および両者を接続する両側板とからなり内部をバンドの挿通空間としたバックル本体と、天井枠の内側に水平設置され、一端部下面に前記バンドの係合溝に係合可能な係合爪を有し、他端部を前記係合を解除するための押圧部とする操作板２０とから構成され、操作板を係合爪と押圧部の中間点にて両側板を結ぶ連結軸２５で支承することにより中間点を支点として揺動自在としたバックルにおいて、操作板の上部を水平方向に移動可能なスライド片がバックル本体１４に設置され、スライド片４０が操作板の一端部側に移動した状態において操作板の揺動が規制される。【選択図】図１
2012250045.tif 000002
【特許請求の範囲】
【請求項１】
バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成され、該操作板を前記係合爪と前記押圧部の中間点にて前記両側板を結ぶ連結軸で支承することにより該中間点を支点として揺動自在としたバックルにおいて、
前記操作板の上部を水平方向に移動可能なスライド片が前記バックル本体に設置され、該スライド片が前記操作板の一端部側に移動した状態において前記操作板の揺動が規制されることを特徴とするバックル。
【請求項２】
前記スライド片の移動をガイドするためのスライド溝を前記バックルの両側板に設けたことを特徴とする請求項１記載のバックル。
【請求項３】
前記スライド片を前記操作板の一端部側に移動した状態において、前記スライド片の下面が前記操作板の一端部の上面よりも若干高くなるように設定したことを特徴とする請求項１または２記載のバックル。
【請求項４】
前記スライド片を前記操作板の一端部側に移動した状態において、前記スライド片の下面が前記操作板の一端部の上面に当接することを特徴とする請求項１または２に記載のバックル。
【請求項５】
前記スライド片を前記操作板の一端部側に移動した状態において、前記スライド片の下面が前記連結軸が位置するところの前記操作板の上面に当接することを特徴とする請求項１〜４のいずれかに記載のバックル。
【請求項６】
前記スライド片を前記押圧部側に移動した状態において、前記スライド片の下面が前記押圧部の上面に当接することを特徴とする請求項１〜５のいずれかに記載のバックル。
【請求項７】
前記スライド片上に掛止突起を設けたことを特徴とする請求項１〜６のいずれかに記載のバックル。
【請求項８】
バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成され、該操作板を前記係合爪と前記押圧部の中間点にて前記両側板を結ぶ連結軸で支承することにより該中間点を支点として揺動自在としたバックルにおいて、
前記天井枠と前記底板の間を垂直方向に移動可能なストッパーがバックル本体に設置され、該ストッパーが前記底板側に移動した状態において前記バンドとバックルの係合が補助されることを特徴とするバックル。
【請求項９】
前記ストッパーの下面に前記バンドの係合溝に係合可能な係合爪を有することを特徴とする請求項８記載のバックル。
【請求項１０】
前記ストッパーの移動をガイドするためのスライド溝を前記バックルの両側板に設けたことを特徴とする請求項８または９記載のバックル。
【請求項１１】
前記係合爪と前記係合溝の係止状態において前記合成樹脂の復元力による係止に加えて、係合爪を係合溝に圧接させてバンドの後退をロックする機構を備えた請求項１〜１０のいずれかに記載のバックル。
【請求項１２】
バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成され、該操作板を前記係合爪と前記押圧部の中間点にて前記両側板を結ぶ連結軸で支承することにより該中間点を支点として揺動自在としたバックルにおいて、
前記連結軸の内部に金属片を入れることにより前記連結軸の強度を強く保つこと特徴とするバックル。
【発明の詳細な説明】
【技術分野】
【０００１】
この発明は、係合溝を有するバンドまたはベルトを係止するためのバックルに関し、特に、運動靴、競技用靴、スノーボード靴、プロテクター係止ベルトなど、比較的強い締結力を必要とする製品のための合成樹脂バックルに関するものである。
【背景技術】
【０００２】
従来、バンド（またはベルト）に係合溝を設け、この溝にバックルのフックを弾性的に係合し、随時、この係止状態を解放可能とするバックルが知られている。
本発明者らは、特許第３９８２９５５号公報（特許文献１）において、製作が容易で、軽量な合成樹脂バックルとして、対向する底板と天井枠および両者を接続する両側板とからなり、内部が係合溝を有するバンドの挿通空間とされたバックル本体と、前記天井枠の内側に水平設置され、一端部下面に前記バンドの係合溝に係合可能な係合爪を有し、他端部上面を押圧部とする操作板とから構成され、該操作板を前記係合爪と前記押圧部の中間点にて、対向する天井枠の二辺に各々連結することにより、該中間点を支点として揺動自在とした合成樹脂製バックルであって、前記バンドの外表面と前記天井枠に、前記バックル本体に該バンドを片手の指先で引き寄せることのできる一対の掛止突起を設けた合成樹脂製バックルを提案している。
【０００３】
前記合成樹脂製バックルは機能的に非常に優れ、ヘルメットのヘッドバンド用バックルとしては最適であるが、前記操作板の係合・解除における操作性を良くする為に操作板を支承する連結軸を細くすると、これを運動靴等の比較的強い締結力を必要とする製品に適用した場合、バンドとバックルの係止時においてバンドにバックルから引き離す方向に強い力が作用して、合成樹脂製の連結軸が破損する虞があった。
【０００４】
また、本発明者らは、特許第４００５１０９号（特許文献２）において、特に服飾品等の用途として好適なバンドとバックルのスライドアジャスタとして、軽量でシンプルな構成であって、バックル部の目立たない外観を有するスライドアジャスタとして、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなり、かつ、前記連結軸から掛止突起に至る操作板に対して、該掛止突起以外の部分に垂直方向の押圧力が直接作用するのを規制する部材がバックル本体に設けられたものを提案している。
【０００５】
このスライドアジャスタには規制部材が設けられているので、不用意なまたは突発的なロック解除の虞はないものの、前記押圧部または掛止突起に直接作用する押圧力に対しては、ロック解除を防止することはできない。
【先行技術文献】
【特許文献】
【０００６】
【特許文献１】特許第３９８２９５５号公報
【特許文献２】特許第４００５１０９号公報
【発明の概要】
【発明が解決しようとする課題】
【０００７】
本発明は、軽量かつ製作が容易であることに加えて、前記押圧部または掛止突起に直接作用する押圧力に対してもロック解除を防止することのできるロック機構付きバックルを提供することを目的とするものである。
また、本発明は、バンドとバックルの係止時においてバンドをバックルから分離する方向に強い力が作用しても、操作板を支承する連結軸を破損することのない合成樹脂製のバックルを提供することを目的とするものである。
【課題を解決するための手段】
【０００８】
本発明は、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成され、該操作板を前記係合爪と前記押圧部の中間点にて前記両側板を結ぶ連結軸で支承することにより該中間点を支点として揺動自在としたバックルにおいて、前記操作板の上部を水平方向に移動可能なスライド片が前記バックル本体に設置され、該スライド片が前記操作板の一端部側に移動した状態において前記操作板の揺動が規制されることを特徴とする。
【０００９】
前記スライド片の移動をガイドするためのスライド溝を前記バックルの両側板に設けたことが好ましい。
【００１０】
前記スライド片を前記操作板の一端部側に移動した状態において、前記スライド片の下面が前記操作板の一端部の上面よりも若干高くなるように設定したことが好ましい。
前記スライド片を前記操作板の一端部側に移動した状態において、前記スライド片の下面が前記操作板の一端部の上面に当接することが好ましい。
【００１１】
前記スライド片を前記操作板の一端部側に移動した状態において、前記スライド片の下面が前記連結軸が位置するところの前記操作板の上面に当接することが好ましい。
前記スライド片を前記押圧部側に移動した状態において、前記スライド片の下面が前記押圧部の上面に当接することが好ましい。
前記スライド片上に掛止突起を設けたことが好ましい。
【００１２】
本発明は、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成され、該操作板を前記係合爪と前記押圧部の中間点にて前記両側板を結ぶ連結軸で支承することにより該中間点を支点として揺動自在としたバックルにおいて、前記天井枠と前記底板の間を垂直方向に移動可能なストッパーがバックル本体に設置され、該ストッパーが前記底板側に移動した状態において前記バンドとバックルの係合が補助されることを特徴とする。
【００１３】
前記ストッパーの下面に前記バンドの係合溝に係合可能な係合爪を有することが好ましい。
前記ストッパーの移動をガイドするためのスライド溝を前記バックルの両側板に設けたことが好ましい。
【００１４】
前記係合爪と前記係合溝の係止状態において前記合成樹脂の復元力による係止に加えて、係合爪を係合溝に圧接させてバンドの後退をロックする機構を備えたことが好ましい。
【００１５】
本発明は、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成され、該操作板を前記係合爪と前記押圧部の中間点にて前記両側板を結ぶ連結軸で支承することにより該中間点を支点として揺動自在としたバックルにおいて、前記連結軸の内部に金属片を入れることにより前記連結軸の強度を強く保つことを特徴とする。
【発明の効果】
【００１６】
本発明のバックルは、構成する部品点数が少なく、合成樹脂で製造されるので、軽量であり、製造コストも廉価である。また、前記押圧部または掛止突起に直接作用する押圧力に対してもロック解除を防止することができる。
また、バンドとバックルの係止時においてバンドにバックルから引き離す方向に強い力が作用しても、合成樹脂製の連結軸を破損する虞がない。従って、このバックルは運動靴等の比較的強い締結力を必要とする製品への適用が最適である。
【図面の簡単な説明】
【００１７】
【図１】バックル１０の斜視図である。
【図２】バックル１０とバンド３０の係合状態を示す平面図および長手方向縦断側面図である。
【図３】バックルの他の実施形態の斜視図とその動作を示す要部縦断側面図である。
【図４】バックルのさらに別の実施形態の斜視図とその動作を示す要部縦断側面図である。
【図５】バックルのさらに別の実施形態の斜視図とその動作を示す要部縦断側面図である。
【図６】バックルのさらに別の実施形態の斜視図とその動作を示す要部縦断側面図である。
【発明を実施するための形態】
【００１８】
以下、本発明に係るロック機構付きバックルの実施形態を図面に基づいて説明する。
図１はバックル１０の斜視図であり、これらの図において、バックル１０は、底板１１、これに対向する天井枠１２、および底板１１と天井枠１２とを接続する側板１３、１３とからなる偏平かつ筒状のバックル本体１４により主体が構成される。バックル本体１４はバンドのスライド方向が挿通口１５、１５として開口され、その内部は後述する係合溝を有するバンド３０の挿通空間１６となる。
【００１９】
図示しないが、底板１１の長手方向（バンドのスライド方向）の長さを天井枠１２の長手方向の長さよりも長くすれば、バックル１０の被接続体（即ち、運動靴用バンド等）への取付を容易にすると共に、バンドの挿通がスムーズに行われるようにすることができる。また、天井枠１２を偏平な板で構成すると共に、操作板２０の一端部２０Ａに対向する天井枠１２を操作板２０と反対方向水平に延伸することによっても同様の効果を得ることができる。
【００２０】
天井枠１２の内側には、その内に納まる大きさの操作板２０が水平に設置される。操作板２０の一端部２０Ａの下面には、バンド３０の係合溝に係合可能な係合爪２１を突設し、他端部２０Ｂの上面は押圧部２２とされる。操作板２０は天井枠１２より若干低位置とすることにより、押圧部２２が不用意に押し下げられることを防止することができる。
【００２１】
操作板２０の長手方向の中間部には、連結軸２５が形成され、この連結軸２５は各側板１３、１３の上部内壁に支承されている。
この実施形態では連結軸２５の断面を矩形としたが、円形、楕円形、その他種々の断面形状とすることができる。連結軸２５は操作板２０を揺動自在に軸支すると共に、滑らかな操作性を確保する為に可及的に細くすることが望まれるが、反復的な揺動により破損しない形状、大きさとすれば良い。
なお、連結軸２５は側板１３、１３に限らず、対向する天井枠１２の二辺に各々連結されていても、後述する作用と同じ作用を発揮することができる。
【００２２】
バックル１０の側板１３、１３には、スライド片４０をスライドさせるためのスライド溝５０、５０が形成される。図１（２）および（３）は、スライド片４０がスライド溝５０、５０に沿って動く状態を示した斜視図である。スライド片４０の表面には、掛止突起４２が上方に突出して設けられている。本実施形態においてスライド片は矩形の形状としたが、必ずしも矩形でなくともよい。
【００２３】
続いて、上記バックル１０の作用について図２を参照しながら説明する。
図２（１）はバックル１０とバンド３０の係合状態を示す平面図であり、図２（２）は長手方向縦断側面図である。
【００２４】
図２（１）、（２）において、バックル１０の挿通空間１６内にバンド３０が挿入され、バンド３０の外表面に形成された係合溝３１に、バックル１０の係合爪２１が係合している。係合溝３１はスライド方向の断面形状が鋸歯状、即ち、バンド３０の進行方向に向けて漸次深くなるテーパ面と、この最深位置より略垂直に立上る壁面とからなっている。
符号３５はバンド３０の外表面に設けた掛止突起であり、スライド片４０の表面に設けられた掛止突起４２との双方に指を掛けることにより、バンド３０をバックル１０に片手で引き寄せることが可能になる。
【００２５】
バンド３０を押圧部２２側（図２において左側）の挿通口１５から挿通空間１６内に進入させていくと、バンド３０の上面が操作板２０の係合爪２１に接触して、操作板２０の一端部２０Ａを押し上げながら前進し、バックル１０に対するバンド３０の接近・離隔位置が調節される。
この状態では、図２（２）に示すように、係合爪２１が所定の係合溝３１と噛み合って係止しているので、バンド３０はバックル１０に対して進出自在であるが、後退不能である。
【００２６】
次に、バックル１０からバンド３０を後退させたり、引き抜いたりするには、操作板２０の押圧部２２を軽く指で押し下げれば、図２（３）に示すように、連結軸２５を中心として操作板２０が回転する結果、反対側に位置するする係合爪２１が持ち上がり、係合爪２１が係合溝３１から外れるので、バンド３０を自由にスライドさせることができる。押圧部２２から指を離せば、操作板２０は合成樹脂の弾性により元の水平状態に復帰する。
【００２７】
次に、本発明のロック機構について説明する。
前記の通り図２（２）はバンド３０の係合溝３１とバックル１０の係合爪２１との係止状態を示しているが、このときスライド片４０は操作板の他端部２０Ｂ側に位置しており、押圧部２２のロックは解除された状態にある。
ここで、図１（３）に示すようにスライド片４０を操作板２０の一端部２０Ａ側にスライド溝５０、５０に沿ってスライドさせれば、スライド片４０により操作板２０の回転が規制されることになり、この状態では押圧部２２は押されても動かない。図２（４）はこの押圧部２２のロック状態を示している。
ロック状態におけるスライド片４０の下面と操作板２０の一端部２０Ａの上面との距離は、係合爪２１が係合溝３１から外れない程度に操作板２０の回転が規制される長さとすれば良い。
【００２８】
ロック機構の別の実施形態について図３を参照しながら説明する。
本実施形態では、スライド片４０を操作板２０の一端部２０Ａ側にスライドした状態において、スライド片４０の下面が操作板２０の一端部２０Ａの上面に当接するように設定されている。
図３（１）は、本実施形態におけるバックルの斜視図であり、図３（２）は図２（２）と同じくバックル１０とバンド３０の係止状態、即ち、係合爪２１と係合溝３１の係止状態を示す要部縦断側面図である。この状態から、スライド片４０をスライドさせて押圧部２２をロックすれば、スライド片４０の下面と操作板２０の一端部２０Ａの上面が当接し、操作板２０の一端部２０Ａに位置する係合爪２１が押し下げられてバンド３０の係合溝３１と強く噛み合う。図３（４）はこの強固なロック状態を示す要部縦断側面図である。
また、図示しないが、スライド片４０の位置が操作板２０の一端部２０Ａ方向に漸次低くなるようにスライド溝５０、５０を設定することによっても、同様の効果が得られる。
【００２９】
続いて、本発明の別の実施形態について図４を参照しながら説明する。
図４（１）はスライド片４０をバックル本体１４から分離して図示した斜視図である。この実施形態では、これまで説明してきた実施形態がスライド片４０が押圧部２２上を移動しないのに対して、スライド片４０が押圧部２２上まで移動可能な点で異なっている。
【００３０】
図４（２）は、バックル１０とバンド３０の係止状態、即ち、係合爪２１と係合溝３１の係止状態を示す要部縦断側面図である。
この状態から、図４（３）に示すようにスライド片４０をスライドさせて押圧部２２上に係止すれば、スライド片４０の下面が押圧部２２の上面を圧接し、連結軸２５を中心として操作板２０が回転する結果、反対側に位置するする係合爪２１が持ち上がり、係合爪２１が係合溝３１から外れるので、バンド３０を自由にスライドさせることができる。
本実施形態では、スライド片４０を押圧部２２上に係止さえすれば、片手で自由にバックル１０からバンド３０を後退させたり、引き抜いたりすることができる。
なお、ロックの方法については、前述の通り、スライド片４０をスライドさせて操作板２０の一端部２０Ａ側に係止すれば良い。図４（４）はロック状態を示す要部縦断側面図である。
【００３１】
この実施形態では、バックル１０とバンド３０が係止したときに、操作板２０の他端部２０Ｂの端面は天井枠１２の垂直面と接触して突き合わせ状態となるような長さとなっており、バンド３０をバックル１０から分離する強い力に対して連結軸２５の破損を防止する機能を備えている。以下、この作用を説明する。
【００３２】
バンド３０とバックル１０の係合状態において、バンド３０をバックル１０から分離する方向に強い力が作用すると、係合爪２１は係合溝３１と噛み合っているので操作板２０の係合爪２１が図４（２）または（４）において左方向に引っ張られ、操作板２０も左方向に移動するが、操作板の他端部２０Ｂが天井枠１２の垂直面に当接する結果、操作板２０の移動は停止する。
【００３３】
操作板の他端部２０Ｂと天井枠１２とは、バンド３０とバックル１０の係合状態において必ずしも接触しなくても良く、バンド３０をバックル１０から分離する方向に強い力が作用した時に突合わせ状態となるような隙間が形成されていれば、同様の効果を得ることができる。
即ち、この隙間の距離は、操作板２０に左方向（操作板２０の一端部２０Ａから他端部２０Ｂへの方向）の力が加わった時の破損に至る連結軸２５の可動距離よりも短く設定される。連結軸２５の太さと形状および次述する合成樹脂の種類によっても異なるが、通常１ｍｍ以下となる。
【００３４】
続いて、本発明の別の実施形態について図５を参照しながら説明する。
図５（１）はスライド片４０をバックル本体１４から分離して図示した斜視図であり、図５（２）は、バックル１０とバンド３０の係止状態、即ち、係合爪２１と係合溝３１の係止状態を示す要部縦断側面図である。この状態から、図５（３）に示すようにスライド片４０をスライドさせれば、スライド片４０により操作板２０の回動が規制されると同時に、連結軸２５がスライド片４０により上方から押さえつけられるので、バンド３０をバックル１０から分離する方向に強い力が作用したとしても、連結軸２５の破損を防止することができる。図５（４）は図４（３）と同じく係合爪２１が係合溝３１から外れた状態を示す要部縦断側面図である。
【００３５】
続いて、バックル本体１４に設けられるストッパー６０により、バンド３０とバックル１０の係合を補助する機構について、図６を参照しながら説明する。
図６（１）と（２）は、ストッパー６０がスライド溝６２、６２に沿って動く様子を示した斜視図である。
図６（３）はバックル１０とバンド３０の係止状態、即ち、係合爪２１と係合溝３１の係止状態を示す要部縦断側面図である。本実施形態において、ストッパー６０の下面にはバンドの係合溝３１と係合可能な係合爪６１が設けられている。
この状態から、図６（４）に示すようにストッパー６０をスライド溝６２に沿って底板１１側にスライドさせて、係合爪６１とバンドの係合溝３１を係合させれば、バンド３０とバックル１０の係合を補強することができる。すなわち、ストッパー６０はバックル本体１４に設けられるので、バンド３０をバックル１０から分離する方向に強い力が作用したとしても、その力をバックル本体１４が受けるため、バンド３０とバックル１０の係合をより強固なものとすることが可能となる。
【００３６】
バックル１０は、可撓性を有する合成樹脂により成型することができ、特に、操作板２０を連結軸２５の周囲に揺動させる必要から、ポリアセタール、ポリオキシメチレン、ポリアミド、ポリカーボネート、ナイロンなどの弾性を有する合成樹脂により成型することが好ましい。本発明のバックル１０は、僅かな部品により構成され、かつ、簡易な構造の故に、金型で容易に一体成型することができる。
また、バックル１０を合成樹脂により成型した上で、連結軸２５の内部に金属片を設けることにより連結軸２５の強度を高めることができる。例えば、連結軸２５の中心部に穴部を設け、これに金属製の軸を入れることで、バンド３０をバックル１０から分離する方向に強い力が作用した時に連結軸の破損を防止することができる。
【００３７】
本発明において天井枠１２は、図４に示す実施形態では、操作板２０の他端部２０Ｂと対向する一辺を備えることが必須であるが、必ずしも四辺を備えたものに限られない。操作板２０の一端部２０Ａと対向する一辺については、バックルを軽量化、小型化する場合には、これを省略することができる。
【００３８】
本発明のバックル１０には、前記した特許文献１および特許文献２に開示した要素を取り入れることができる。例えば、連結軸２５の代わりに操作板２０の上縁部と天井枠１２の上部とを連結する連結辺（図示せず。）を用いても良い。
また、操作板２０を水平状態に復元し易くするために操作板２０の一端部２０Ａと対向する天井枠１２等とを連結した連結部材（図示せず。）を設けても良い。更に、挿通空間１６にはバンド３０の浮き上がりを防止するためのバンド押え（図示せず。）を設けることも可能である。
【符号の説明】
【００３９】
１０    バックル
１１    底板
１２    天井枠
１３    側板
１４    バックル本体
１６    挿通空間
１７    スライド溝
２０    操作板
２０Ａ  操作板の一端部
２０Ｂ  操作板の他端部
２１    係合爪
２２    押圧部
２５    連結軸
３０    バンド
３１    係合溝
４０    スライド片
５０    スライド溝
６０    ストッパー
【図１】
2012250045.tif 000003
【図２】
2012250045.tif 000004
【図３】
2012250045.tif 000005
【図４】
2012250045.tif 000006
【図５】
2012250045.tif 000007
【図６】
2012250045.tif 000008